(57)【要約】      （修正有）【課題】取り付けが容易な忌避具を提供する。【解決手段】忌避具１は、磁石４２を備えたベース４と、ベースに配置された忌避剤２と、ベースに着脱自在に装着され、忌避剤を収容するキャップ５と、を有する。また、忌避剤は、略円錐形である。また、忌避具は、ベースとキャップとを固定する固定機構を有する。このような構成によれば、忌避具を磁石によって設置対象に固定することができる。【選択図】図１
0003222044.tif 000002
【実用新案登録請求の範囲】
【請求項１】
磁石を備えたベースと、
前記ベースに配置された忌避剤と、
前記ベースに着脱自在に装着され、前記忌避剤を収容するキャップと、を有することを特徴とする忌避具。
【請求項２】
前記忌避剤は、略円錐形である請求項１に記載の忌避具。
【請求項３】
前記ベースと前記キャップとを固定する固定機構を有する請求項１または２に記載の忌避具。
【考案の詳細な説明】
【技術分野】
【０００１】
本考案は、忌避具に関する。
【背景技術】
【０００２】
例えば、特許文献１に記載には、ハト、カラス、ムクドリ、ツバメ、スズメ、コウモリ等の害鳥の飛来を防止する忌避剤と、この忌避剤を収納した忌避剤入れ容器と、を有する忌避具が記載れている。
【先行技術文献】
【特許文献】
【０００３】
【特許文献１】実用新案登録第３１７１６８４号公報
【考案の概要】
【考案が解決しようとする課題】
【０００４】
しかしながら、特許文献１に記載の忌避具は、忌避剤入れ容器を紐、針金等で対象物に固定する必要があり、忌避具の取り付けおよび取り外しが面倒である。
【０００５】
本考案の目的は、取り付けが容易な忌避具を提供することにある。
【課題を解決するための手段】
【０００６】
前記目的は、以下（１）〜（３）の本考案により達成される。
【０００７】
（１）  磁石を備えたベースと、
前記ベースに配置された忌避剤と、
前記ベースに着脱自在に装着され、前記忌避剤を収容するキャップと、を有することを特徴とする忌避具。
【０００８】
（２）  前記忌避剤は、略円錐形である上記（１）に記載の忌避具。
【０００９】
（３）  前記ベースと前記キャップとを固定する固定機構を有する上記（１）または（２）に記載の忌避具。
【考案の効果】
【００１０】
本考案によれば、忌避具を磁石によって設置対象に固定することができる。そのため、設置対象への取り付けおよび設置対象からの取り外しが容易な忌避具となる。
【図面の簡単な説明】
【００１１】
【図１】本考案の好適な実施形態にかかる忌避具を示す斜視図である。
【図２】忌避具の断面図である。
【図３】忌避具が有する固定機構を示す斜視図である。
【図４】忌避具の使用方法を説明するための平面図である。
【考案を実施するための形態】
【００１２】
以下、本考案の忌避具を添付図面に示す好適な実施形態に基づいて詳細に説明する。
【００１３】
図１に示す忌避具１は、例えば、ハト、カラス、ムクドリ、ツバメ、スズメ、コウモリ等の害鳥の飛来を抑制する機能を有する。ただし、忌避対象は、害鳥に限定されず、例えば、クマ、イヌ、ネコ、シカ、サル、イノシシ、モグラ、ネズミ等の各種害獣であってもよい。
【００１４】
このような忌避具１は、害鳥に対する忌避効果を発揮する忌避剤２と、忌避剤２を収容する筒状のケース３と、を有する。また、ケース３は、忌避剤２が配置されたベース４と、ベース４に着脱自在に取り付けられたキャップ５とを有し、キャップ５をベース４に取り付けた状態ではキャップ５内に忌避剤２が収納される。
【００１５】
忌避具１は、未使用状態ではキャップ５をベース４に取り付けて忌避剤２を収容し、使用時にキャップ５をベース４から取り外して忌避剤２を雰囲気に暴露させて忌避剤２の効果を発揮させ、使用後には再びキャップ５をベース４に取り付けて忌避剤２を収容するようにして用いられる。これにより、使用時以外の忌避剤２の暴露が防止され、忌避具１の取り扱いが容易となる。
【００１６】
忌避剤２としては、害鳥に対する忌避効果を発揮することができれば、特に限定されず、例えば、増粘剤、唐辛子エキス、薄荷精油等を所定比率で混合した固形またはゲル状のものを用いることができる。このような忌避剤２は、ベース４に設けられ、略円錐形となっている。忌避剤２を略円錐形とすることにより、忌避剤２の表面積を大きくすることができ、より優れた忌避効果を発揮することができる。また、キャップ５の着脱の際に忌避剤２とキャップ５とが接触し難くなる。ただし、忌避剤２の形状は、特に限定されない。
【００１７】
キャップ５は、外部との接触を抑制して忌避剤２を保護する機能と、忌避剤２から生じる匂いの拡散を防止する機能とを有する。キャップ５は、円錐台状であり、円筒状から若干テーパーがかかっている。また、特に限定されないが、キャップ５は、実質的に無色透明であることが好ましい。キャップ５を無色透明とすることにより、キャップ５を介して忌避剤２を目視することができ、忌避剤２の状態をより簡単に確認することができる。
【００１８】
図２に示すように、ベース４は、底面に開口する凹部４１を有する。そして、この凹部４１内にはコの字状に屈曲したヨーク７が固定されており、さらに、このヨーク７に取り付け用の磁石４２が設置されている。そのため、忌避具１は、磁石４２の磁気吸着を利用して設置対象に取り付けて、固定することができる。このように、磁石４２を利用することにより、例えば、従来技術で挙げた忌避具のように紐や針金を用いる場合と比べて、忌避具１の設置対象への取り付けや設置対象からの取り外しが容易となる。なお、設置対象としては、磁石４２が吸着すればよく、例えば、柵、手摺、支柱、壁、天井等の鉄骨部が挙げられる。また、磁石４２としては、例えば、ネオジム磁石、フェライト磁石、サマリウムコバルト磁石、アルニコ磁石、ボンド磁石等の永久磁石を用いることが好ましい。
【００１９】
これらベース４およびキャップ５は、樹脂材料で構成されている。ただし、ベース４およびキャップ５の構成材料は、特に限定されず、例えば、金属材料、セラミックス、ガラス材料、木材、竹材等であってもよい。
【００２０】
また、ケース３は、ベース４とキャップ５とを固定する固定機構６を有する。固定機構６は、図２に示すように、キャップ５のフランジ５１に１８０°間隔で形成された一対の爪６１と、ベース４の外周面に１８０°間隔で形成された一対の爪６２とを有する。そして、キャップ５をベース４に装着し、さらに、キャップ５をベース４に対して回転させると爪６１、６２が係合し、ベース４にキャップ５が固定される。
【００２１】
固定機構６について具体的に説明すると、図３に示すように、爪６１の上面は、キャップ５の回転軸に直交する面に対して傾斜したスライド面６１１である。一方、爪６２の下面にはスライド面６１１と対向し、スライド面６１１と摺動する突起６２１が設けられている。キャップ５をベース４に装着し、キャップ５をベース４に対して矢印方向に回転させると、突起６２１がスライド面６１１に誘導されて、突起６２１がスライド面６１１と接し、キャップ５の回転角が大きくなるに連れて突起６２１とスライド面６１１との摩擦抵抗が上昇する。そのため、当該摩擦抵抗によってベース４とキャップ５とが固定される。なお、爪６１には、さらに、突起６２１と当接し、それ以上のキャップ５の回転を規制するためのストッパー６１２が設けられている。ただし、固定機構６の構成としては、特に限定されないし、固定機構６を省略してもよい。
【００２２】
最後に、忌避具１の設置対象への取り付けおよび設置対象からの取り外し方法の一例を簡単に説明する。まず、図４（ａ）に示すように、ベース４にキャップ５が装着、固定された状態の忌避具１を準備し、この忌避具１を磁石４２の磁気吸着を利用して設置対象Ｗに取り付ける。次に、キャップ５を把持してベース４に対して回転させて、ベース４とキャップ５との固定を解除し、図４（ｂ）に示すように、ベース４からキャップ５を取り外す。これにより、忌避剤２が雰囲気に暴露し、忌避剤２の効果が発揮される。忌避剤２の効果がなくなり、または、弱くなり、忌避具１を撤去する際には、図４（ｃ）に示すように、再びキャップ５をベース４に装着、固定し、その後、忌避具１を設置対象Ｗから取り外して撤去する。このような方法によれば、忌避具１を設置対象Ｗに取り付ける際や設置対象から取り外す際に忌避剤２が暴露しないため、使用者が誤って忌避剤２に触れることを防止でき、忌避具１の取り扱いが容易となる。
【符号の説明】
【００２３】
１          忌避具
２          忌避剤
３          ケース
４          ベース
４１        凹部
４２        磁石
５          キャップ
６          固定機構
５１        フランジ
６１        爪
６１１      スライド面
６１２      ストッパー
６２        爪
６２１      突起
７          ヨーク
Ｗ          設置対象
【図１】
0003222044.tif 000003
【図２】
0003222044.tif 000004
【図３】
0003222044.tif 000005
【図４】
0003222044.tif 000006